(57)【要約】【課題】断続音による盗聴器の検出に対応し、周囲に違和感を与えることなく盗聴器の検出を行うことができる盗聴器検出器および時計を提供することにある。【解決手段】盗聴器検出器１００は、特定音を発音する発音部と、発音部が特定音を断続的に発音するように発音部を制御し、発音部の制御状態に応じてスキャン部１０６のスキャン速度を制御するマイクロコンピュータ１０５と、電波信号の周波数をスキャンするスキャン部１０６とを有する。マイクロコンピュータ１０５は、消音期間のスキャン速度を発音期間のスキャン速度よりも下げる。【選択図】図１
2010011412.tif 000002
【特許請求の範囲】
【請求項１】
受信した特定音を電波信号として送信している盗聴器を検出する盗聴器検出器であって、
上記特定音を発音する発音部と、
上記発音部が上記特定音を断続的に発音するように上記発音部を制御する発音制御部と、
上記電波信号の周波数をスキャンするスキャン部と、
上記発音制御部の制御状態に応じて上記スキャン部のスキャン速度を制御する制御部と
を有し、
上記制御部は、
上記特定音の消音期間においては、上記スキャン速度を上記特定音の発音期間における上記スキャン速度よりも下げる
盗聴器検出器。
【請求項２】
上記スキャン部は、
電流供給ノードに接続されたキャパシタと、
上記電流供給ノードに接続された少なくとも一つの電流源を含み、
上記制御部は、
上記特定音の消音期間においては、上記電源供給ノードに供給する電流を上記特定音の発音期間における当該電流よりも少なくする
請求項１記載の盗聴器検出器。
【請求項３】
上記制御部は、
上記特定音の消音期間においては、上記スキャン部のスキャンを停止させる
請求項１記載の盗聴器検出器。
【請求項４】
上記スキャン部は、
電流供給ノードに接続されたキャパシタと、
上記電流供給ノードに接続された少なくとも一つの電流源と、
上記電流供給ノードに接続されたすべての電流源が生成する電流を上記電流供給ノードに供給させるか否かを切り替えるスイッチとを含み、
上記制御部は、
上記特定音の消音期間においては、上記スイッチをオフに保持する
請求項３記載の盗聴器検出器。
【請求項５】
上記電波信号の受信レベルを検出し、検出結果に基づいて上記発音部を制御する受信レベル制御部を有し、
上記受信レベル制御部は、
上記受信レベルを所定のしきい値と比較し、比較結果に応じて上記特定音を発するか否かを判断する
請求項１から４のいずれか一に記載の盗聴器検出器。
【請求項６】
時刻を計時する計時部と、
上記計時部による時刻に応じて、受信した特定音を電波信号として送信している盗聴器を検出する盗聴器検出器と
を有し、
上記盗聴器検出器は、
上記特定音を発音する発音部と、
上記発音部が上記特定音を断続的に発音するように上記発音部を制御する発音制御部と、
上記電波信号の周波数をスキャンするスキャン部と、
上記発音制御部の制御状態に応じて上記スキャン部のスキャン速度を制御する制御部とを含み、
上記制御部は、
上記特定音の消音期間においては、上記スキャン速度を上記特定音の発音期間における上記スキャン速度よりも下げる
時計。
【発明の詳細な説明】
【技術分野】
【０００１】
本発明は、盗聴器の検出を行う盗聴器検出器および時計に関するものである。
【背景技術】
【０００２】
盗聴器が発する電波信号を検出して盗聴器の有無を判断する盗聴器検出器（たとえば特許文献１を参照）や、スピーカから発せられた音波信号が電波信号として発せられていることを検出して、盗聴器を検知する盗聴器検出器が開示されている（たとえば特許文献２を参照）。
【０００３】
特許文献１，２に開示されている盗聴器検出器は、盗聴器を検出するとスピーカの出力音量を順次下げながら、盗聴器が仕掛けられている設置場所を絞り込んでいくものである。
【特許文献１】特開昭４９−２４０８９号公報
【特許文献２】特開２０００−１３５００号公報
【発明の開示】
【発明が解決しようとする課題】
【０００４】
従来の盗聴器検出器は、「ピー」のような連続音を発信することによって、盗聴器の検出を行うが、このような連続音は、非常に不快感の強い音であるばかりか、静かな環境下や深夜での使用には不向きである。
【０００５】
従来の盗聴器検出器は、「ピッ、ピッ、ピッ、…」のような断続音による盗聴器の検出には対応していない。
【０００６】
本発明は、断続音による盗聴器の検出に対応し、周囲に違和感を与えることなく盗聴器の検出を行うことができる盗聴器検出器および時計を提供することにある。
【課題を解決するための手段】
【０００７】
本発明の第１の観点の盗聴器検出器は、受信した特定音を電波信号として送信している盗聴器を検出する盗聴器検出器であって、上記特定音を発音する発音部と、上記発音部が上記特定音を断続的に発音するように上記発音部を制御する発音制御部と、上記電波信号の周波数をスキャンするスキャン部と、上記発音制御部の制御状態に応じて上記スキャン部のスキャン速度を制御する制御部とを有し、上記制御部は、上記特定音の消音期間においては、上記スキャン速度を上記特定音の発音期間における上記スキャン速度よりも下げる。
【０００８】
好適には、上記スキャン部は、電流供給ノードに接続されたキャパシタと、上記電流供給ノードに接続された少なくとも一つの電流源を含み、上記制御部は、上記特定音の消音期間においては、上記電源供給ノードに供給する電流を上記特定音の発音期間における当該電流よりも少なくする。
【０００９】
好適には、上記制御部は、上記特定音の消音期間においては、上記スキャン部のスキャンを停止させる。
【００１０】
好適には、上記スキャン部は、電流供給ノードに接続されたキャパシタと、上記電流供給ノードに接続された少なくとも一つの電流源と、上記電流供給ノードに接続されたすべての電流源が生成する電流を上記電流供給ノードに供給させるか否かを切り替えるスイッチとを含み、上記制御部は、上記特定音の消音期間においては、上記スイッチをオフに保持する。
【００１１】
好適には、上記電波信号の受信レベルを検出し、検出結果に基づいて上記発音部を制御する受信レベル制御部を有し、上記受信レベル制御部は、上記受信レベルを所定のしきい値と比較し、比較結果に応じて上記特定音を発するか否かを判断する。
【００１２】
本発明の第２の観点の時計は、時刻を計時する計時部と、上記計時部による時刻に応じて、受信した特定音を電波信号として送信している盗聴器を検出する盗聴器検出器とを有し、上記盗聴器検出器は、上記特定音を発音する発音部と、上記発音部が上記特定音を断続的に発音するように上記発音部を制御する発音制御部と、上記電波信号の周波数をスキャンするスキャン部と、上記発音制御部の制御状態に応じて上記スキャン部のスキャン速度を制御する制御部とを含み、上記制御部は、上記特定音の消音期間においては、上記スキャン速度を上記特定音の発音期間における上記スキャン速度よりも下げる。
【発明の効果】
【００１３】
本発明によれば、断続音による盗聴器の検出に対応し、周囲に違和感を与えることなく盗聴器の検出を行うことができる。
【発明を実施するための最良の形態】
【００１４】
以下、本発明の実施形態を図面に関連付けて説明する。
【００１５】
（第１実施形態）
図１は、本実施形態に係る盗聴器検出器の一形態を示すブロック図である。
【００１６】
図１に図示する盗聴器検出器１００は、受信アンテナ１０１、受信回路１０２、増幅器１０３、バンドパスフィルタ１０４、マイクロコンピュータ１０５、切り替え部１０７、スキャン部１０６、ＶＣＯ１０８、信号増幅器１０９、スピーカ１１０、表示部１１１、および記憶部１１２を有する。
受信回路１０２は、高周波増幅器１０２１、混合器１０２２、中間周波数増幅器１０２３、受信レベル検出部（受信レベル制御部）１０２４、および検波器１０２５で構成されている。
信号増幅器１０９は、音量調整部１０９１によって構成されている。
信号増幅器１０９およびスピーカ１１０によって、発音部が構成されている。マイクロコンピュータ１０５によって、発音制御部および制御部が構成されている。
【００１７】
盗聴器検出器１００は、「ピッ、ピッ、ピッ、…」のような特定周波数の断続音を発信することによって、盗聴器２００を検出する第１のモードと、「ピー」のような連続音を必要なときのみ発信することによって盗聴器２００を検出する第２のモードとを有する。これらのモードは選択的に実行することができる。
【００１８】
盗聴器検出器１００が発信する特定周波数の音を単に特定音ともいう。
【００１９】
次に、盗聴器検出器１００の各構成要素について説明する。
【００２０】
受信アンテナ１０１は、盗聴器２００が発信している電波信号を受信し、電波信号を受信回路１０２の高周波増幅器１０２１に出力する。
【００２１】
高周波増幅器１０２１は、受信アンテナ１０１が受信した電波信号が入力され、高周波の信号（たとえば４００ＭＨｚ程度）を増幅して混合器１０２２に出力する。
【００２２】
混合器１０２２は、高周波増幅器１０２１によって増幅された電波信号と、ＶＣＯ１０８が発振する所定周波数の信号とが入力され、周波数の異なる２つの信号を掛け合わせて混合し、中間周波数増幅器１０２３に出力する。
【００２３】
中間周波数増幅器１０２３は、混合器１０２２から入力された信号の内、中間周波数成分（たとえば１０．７ＭＨｚ程度）のみを増幅し、信号を検波器１０２５に出力する。
【００２４】
受信レベル検出部１０２４は、中間周波数増幅器１０２３が出力した信号の受信レベル（ＲＳＳＩ；Received Signal Strength Indication）を検出し、検出信号ＳＲをマイクロコンピュータ１０５に出力する。
受信レベル検出部１０２４は、受信レベルが所定のしきい値を超えたか否かを判断し、しきい値を超えた場合は真の検出信号ＳＲ１（たとえばハイレベルの電圧信号）を、しきい値を超えない場合は偽の検出信号ＳＲ２（たとえばローレベルの電圧信号）をマイクロコンピュータ１０５に出力する。
受信レベルは、スキャン時にマイクロコンピュータ１０５によって参照される。所定のしきい値は、好適に設定される。
【００２５】
検波器１０２５は、中間周波数増幅器１０２３から入力された信号を復調して音声信号を取り出し、増幅器１０３に出力する。
【００２６】
増幅器１０３は、検波器１０２５から音声信号が入力され、所定の音声レベルまで増幅し、バンドパスフィルタ１０４に出力する。
【００２７】
バンドパスフィルタ１０４は、増幅された音声信号から特定の周波数成分を取りだし、マイクロコンピュータ１０５に出力する。
【００２８】
マイクロコンピュータ１０５は、バンドパスフィルタ１０４から入力された音声信号を内蔵されたＡ／Ｄ変換器にて割り込み（サンプリング）周波数毎にアナログからデジタルの信号にＡ／Ｄ変換する。
【００２９】
マイクロコンピュータ１０５は、特定周波数の音声信号を生成するための生成信号Ｓ１を信号増幅器１０９に出力する。マイクロコンピュータ１０５は、信号増幅器１０９が生成した音声信号をスピーカ１１０に出力させるか否かを制御する制御信号Ｓ３を信号増幅器１０９に出力する。
【００３０】
マイクロコンピュータ１０５は、特定音の発信期間には、ハイレベルの切り替え信号ＣＮＴを切り替え部１０７の切り替え信号線ＣＮＴＬに出力する。一方、マイクロコンピュータ１０５は、消音期間（特定音を発信しない期間）には、ローレベルの切り替え信号ＣＮＴを切り替え部１０７の切り替え信号線ＣＮＴＬに出力する。この処理は、第１のモードが選択された場合に行われる。
【００３１】
マイクロコンピュータ１０５は、受信レベル検出部１０２４から入力された検出信号ＳＲの真偽に基づいた処理を行う。
【００３２】
マイクロコンピュータ１０５は、受信レベル検出部１０２４から真の検出信号ＳＲ１が入力されると、ローレベルの切り替え信号ＣＮＴを切り替え部１０７に出力する。このとき、マイクロコンピュータ１０５は、Ａ／Ｄ変換された音声信号から、所定の演算方法によって特定の周波数成分（たとえば１ｋＨｚ）の振幅の大きさを算出する。
【００３３】
マイクロコンピュータ１０５は、受信レベル検出部１０２４から偽の検出信号ＳＲ２が入力されると、制御信号Ｓ３の出力を停止する。
【００３４】
後述する割り込み処理において、マイクロコンピュータ１０５は、特定周波数成分の振幅の大きさが所定のしきい値以上か否かを判断し、特定周波数成分の振幅の大きさがしきい値以上のとき、盗聴器検出フラグをセットする。マイクロコンピュータ１０５は、盗聴器２００の検出時またはスキャン周波数が最大に達した時に、音量レベルおよび表示レベルを切り替えるか否かを判定し、切り替える場合、切り替え処理フラグをセットする。
【００３５】
マイクロコンピュータ１０５は、たとえばＰＷＭ（Pulse Width Modulation；パルス幅変調）の平滑電圧によって音量レベルを調整するためのパルス状の制御信号Ｓ２を生成し、音量調整部１０９１に出力する。本実施形態では、音量レベルを５段階で調整するが、何段階に設定するかは好適に設定可能である。
【００３６】
マイクロコンピュータ１０５は、表示内容を制御する制御信号Ｓ４を生成して表示部１１１に出力する。これにより、表示部１１１は、信号増幅器１０９の出力（音量）レベルに応じた値を表示部１１１に表示する。出力レベルに応じた値には、出力レベルの制御値あるいはスピーカ１１０の出力レベルが含まれる。
ＰＷＭに限らず、後述するデジタル／アナログ（Ｄ／Ａ）変換器にて電圧を制御するようにしてもよい。
【００３７】
マイクロコンピュータ１０５は、不図示のカウンタ等を用いてスキャン開始時点からの経過時間をカウントし、経過時間が所定時間（本実施形態では１００ｍｓ程度）経過したか否かを判断する。
【００３８】
本実施形態においては、ハードウェアのフィルタと、マイクロコンピュータ１０５による信号処理（デジタルフィルタの処理）を合わせて用いることにより、簡単なハードウェアと信号処理で高い選択度（Ｑ）で特定周波数を弁別し、高精度の周波数弁別を行い、この弁別された特定周波数レベルをもとに、発信音の音声レベルを制御し、安定した盗聴器２００の発見を行うことのできる盗聴器検出器１００を実現している。
【００３９】
後述するスキャン部１０６の電圧比較部ＣＰＮは、スキャン周波数（図２に図示する電流供給ノードＮＤＩの電圧ＶＣＮＴ）が最大になったとき、エンド信号ＥＮＤをハイレベルにする。
【００４０】
マイクロコンピュータ１０５は、エンド信号ＥＮＤがハイレベルになったことを検知すると、スキャン部１０６のリセット信号線ＲＳＴＬにハイレベルのリセット信号ＲＳＴを出力し、電流供給ノードＮＤＩの電圧を接地電位にリセットする。これにより、スキャン処理が終了する。
【００４１】
マイクロコンピュータ１０５が行う動作は、記憶部１１２に記憶されたプログラムにしたがって処理を行うことができる。
【００４２】
次に、スキャン部１０６および切り替え部１０７について説明する。図２は、本実施形態に係るスキャン部および切り替え部の構成例を示す回路図である。
【００４３】
スキャン部１０６は、電圧比較部ＣＰＮと、電流ＩＣ３を生成する第１の電流源と、キャパシタＣ１と、電流供給ノードＮＤＩと、電流供給ノードＮＤＩを所定電圧にリセットするためのｎｐｎ型のトランジスタＴＲ４と、ノードＮＤ６を有する。
【００４４】
電圧比較部ＣＰＮは、ｐｎｐ型のトランジスタＴＲ１とＴＲ２、抵抗Ｒ１〜Ｒ４、およびノードＮＤ１〜ＮＤ３で構成されている。
【００４５】
第１の電流源は、ｐｎｐ型のトランジスタＴＲ３、抵抗Ｒ５〜Ｒ７、ノードＮＤ４、ＮＤ５で構成されている。
【００４６】
電圧比較部ＣＰＮの抵抗Ｒ１とＲ２は、電源電位ＶＤＤと接地電位ＧＮＤとの間に直列に接続されている。
【００４７】
トランジスタＴＲ１は、ベースがノードＮＤ１に、エミッタがノードＮＤ２に、コレクタがノードＮＤ３にそれぞれ接続されている。トランジスタＴＲ２は、ベースがノードＮＤ４に、エミッタがノードＮＤ２に、コレクタが接地電位ＧＮＤにそれぞれ接続されている。
【００４８】
抵抗Ｒ３は、電源電位ＶＤＤとノードＮＤ２との間に接続され、抵抗Ｒ４は、接地電位ＧＮＤとノードＮＤ３との間に接続されている。ノードＮＤ３は、エンド信号線ＥＮＤＬによってマイクロコンピュータ１０５に接続されている。
【００４９】
抵抗Ｒ５とＲ６は、電源電位ＶＤＤと接地電位ＧＮＤとの間に直列に接続され、抵抗Ｒ７は、電源電位ＶＤＤとトランジスタＴＲ３のエミッタとの間に接続されている。キャパシタＣ１は、電流供給ノードＮＤＩと接地電位ＧＮＤとの間に接続されている。電流供給ノードＮＤＩは、ノードＮＤ６とＮＤ８を介してＶＣＯ制御信号線ＶＣＮＴＬによってＶＣＯ１０８と接続されている。
【００５０】
トランジスタＴＲ３は、ベースがノードＮＤ５に、エミッタが抵抗Ｒ７に、コレクタがノードＮＤ４にそれぞれ接続されている。トランジスタＴＲ４は、ベースがリセット信号線ＲＳＴＬによってマイクロコンピュータ１０５に、エミッタが接地電位ＧＮＤに、コレクタがノードＮＤ６にそれぞれ接続されている。
【００５１】
切り替え部１０７は、電流ＩＣ４を生成する第２の電流源と、スイッチとして機能するｎｐｎ型のトランジスタＴＲ６（単にスイッチともいう）を有する。
【００５２】
第２の電流源は、ｐｎｐ型のトランジスタＴＲ５、ノードＮＤ７、ＮＤ８および抵抗Ｒ８〜Ｒ１０で構成されている。トランジスタＴＲ６は、第２の電流源が出力する電流ＩＣ４を電流供給ノードＮＤＩに供給するか否かを切り替える。
【００５３】
トランジスタＴＲ５は、ベースがノードＮＤ７に、エミッタが抵抗Ｒ８に、コレクタがノードＮＤ８にそれぞれ接続されている。
【００５４】
抵抗Ｒ８は、電源電位ＶＤＤとトランジスタＴＲ５のエミッタとの間に接続されている。また、抵抗Ｒ９と抵抗Ｒ１０は、電源電位ＶＤＤとトランジスタＴＲ６のコレクタとの間に直列に接続されている。
【００５５】
トランジスタＴＲ６は、ベースが切り替え信号線ＣＮＴＬによってマイクロコンピュータ１０５に、エミッタが接地電位ＧＮＤに、コレクタが抵抗Ｒ１０にそれぞれ接続されている。
【００５６】
ＶＣＯ制御信号線ＶＣＮＴＬには電流供給ノードＮＤＩの電圧ＶＣＮＴが、リセット信号線ＲＳＴＬにはリセット信号ＲＳＴが、切り替え信号線ＣＮＴＬには切り替え信号ＣＮＴが、エンド信号線ＥＮＤＬにはエンド信号ＥＮＤが、それぞれ伝搬される。
【００５７】
上述した構成において、切り替え部１０７は、マイクロコンピュータ１０５からハイレベルの切り替え信号ＣＮＴが入力さると、トランジスタＴＲ６をオンに切り替える。
【００５８】
スキャン部１０６は、トランジスタＴＲ６がオフの期間には、第１の電流源による電流ＩＣ３によって、キャパシタＣ１を充電するが、トランジスタＴＲ６がオンに切り替わると、電流ＩＣ３に加え、第２の電流源による電流ＩＣ４によって、キャパシタＣ１を充電する。
【００５９】
なお、第１の電流源が生成する電流ＩＣ３の電流量は、第２の電流源が生成する電流ＩＣ４の電流量よりも小さい方が望ましい。
【００６０】
スキャン部１０６は、電圧比較部ＣＰＮにて、電流供給ノードＮＤＩの電圧と基準電圧とを比較し、電流供給ノードＮＤＩの電圧が基準電圧に達した時に、キャパシタＣ１の電圧を所定電圧（たとえば接地電位）にリセットする。
【００６１】
ただし、スキャン部１０６は、キャパシタＣ１の電圧が所定電圧にリセットされるまでの期間、電流供給ノードＮＤＩの電圧をＶＣＯ１０８に出力する。
【００６２】
第１のモードにおいて、第１および第２の電流源を使用してキャパシタＣ１を充電する期間（タイミング）、すなわちトランジスタＴＲ６がオンに切り替わる期間は、特定音の発信期間である。第２のモードにおいては、特定音の発信期間であっても、受信レベルがしきい値以下の場合にのみ、２つの電流源が使用される。
【００６３】
このように、条件に応じて２つの電流源を使用すれば、一つの電流源を使用する場合よりも速くキャパシタＣ１を充電することができるため、スキャン速度が向上し、１回のスキャンに要する時間を短縮させることができる。
【００６４】
本実施形態では、２つの電流源によってキャパシタＣ１を充電し、スキャンを行うことを通常スキャンという。一つの電流源によってキャパシタＣ１を充電し、通常スキャンよりもゆっくりとした速度でスキャンを行うことを低速スキャンという。
【００６５】
ＶＣＯ１０８は、スキャン部１０６から電流供給ノードＮＤＩ（図２参照）の電圧が入力され、盗聴器検出器１００が電波信号を安定して受信するために、入力電圧に応じた周波数で発振し、発振した所定周波数の信号を混合器１０２２に出力する。
【００６６】
信号増幅器１０９は、マイクロコンピュータ１０５から特定周波数の音声信号を生成するための生成信号Ｓ１が入力されると、生成信号Ｓ１に基づいて、特定音としての音声信号を生成する。信号増幅器１０９は、マイクロコンピュータ１０５から制御信号Ｓ３が入力されたときに、生成した音声信号をスピーカ１１０に出力する。
【００６７】
音量調整部１０９１について図３を適宜参照しながら説明する。図３は、本実施形態に係る音量調整部を説明するための図である。
【００６８】
音量調整部１０９１は、図示しない音声信号増幅器（Amplifier；以後アンプという）や平滑回路等で構成されている。音量調整部１０９１は、マイクロコンピュータ１０５から音量レベルを調整するための制御信号Ｓ２が入力され、信号増幅器１０９が生成した音声信号の音量レベルをアンプ等を用いて５段階で調整し、スピーカ１１０に出力する。
【００６９】
ここで、音量調整部１０９１の回路構成について述べる。音量調整部１０９１は、図３に示すようにパルス状の制御信号Ｓ２を平滑回路にて直流に平滑する。たとえば、平滑回路に入力された制御信号Ｓ２の電圧を５Ｖ、周波数を１０ｋＨｚ、デューティ比を５０％とすると、平滑後の電圧は、デューティ比が１００％時の半分、すなわち２．５Ｖとなる。音量調整部１０９１の回路構成は、限定されないが、スピーカ１１０が発信する音量が平滑後の電圧に比例するような回路であれば、制御信号Ｓ２によって音量を制御できる。
【００７０】
説明の便宜上、最小の音量レベルを音量ＶＯＬ１、最大の音量レベルを音量ＶＯＬ５のように、５段階で適宜表記する。この音量レベルの最大値および最小値、音量レベル間の幅などは、好適に設定可能である。
【００７１】
表示部１１１について説明する。図４は、本実施形態に係る表示部の主要部の構成例を示す回路図である。
【００７２】
表示部１１１は、図４に示すように、スイッチＳＷ１〜ＳＷ５、抵抗Ｒ１１〜Ｒ１５、発光素子（LED；Light Emitting Diode）としてのＬＥＤ１〜ＬＥＤ５を有する。それぞれのスイッチＳＷ１〜ＳＷ５、抵抗Ｒ１１〜Ｒ１５およびＬＥＤ１〜ＬＥＤ５がそれぞれ直列接続され、直列接続されたそれぞれが並列接続されている。スイッチＳＷ１〜ＳＷ５の一端が共通に電源電位ＶＤＤに、ＬＥＤ１〜ＬＥＤ５のカソード側が共通に接地電位に接続されている。
【００７３】
表示部１１１は、マイクロコンピュータ１０５が盗聴器２００を検出すると、盗聴器２００の検出結果に応じて図示しない制御信号Ｓ４が入力され、制御信号Ｓ４に応じたスイッチＳＷがオンに切り替わってＬＥＤが発光することで、ユーザ（盗聴器検出器１００の使用者）と盗聴器２００との推定距離を５段階で表示する。この表示の段階を単に表示レベルともいう。表示部１１１は、他に図示しない発光素子や表示パネルなどが設けられ、たとえば電源の投入状態や検出結果など種々の情報を好適に表示できる。なお、図４に示す表示部１１１の回路構成は主要部の一例であって、本実施形態に限定されない。
【００７４】
記憶部１１２は、たとえばフラッシュＲＯＭあるいはレジスタ等で構成され、たとえばマイクロコンピュータ１０５が処理する内容のプログラム、一時的なデータを記憶し、マイクロコンピュータ１０５によって適宜読み出しされる。記憶部１１２の構成、記憶内容等は特に限定されない。
【００７５】
盗聴器２００は、アンテナ２０１、およびマイクロフォン２０２を有する。盗聴器２００は、マイクロフォン２０２で音声（音波信号）を取得し、その音波信号で搬送波の高周波を変調して、アンテナ２０１を介して送出する。盗聴器２００による一連の動作を盗聴と表現する。
【００７６】
盗聴器には、ＶＯＸ（Voice Operation Transmission）機能が搭載されたものがある。ＶＯＸ機能は、たとえば盗聴器２００が音声を受信したときに起動して盗聴を行い、無音状態のときには盗聴を行わず、電波信号を送出しない機能である。
【００７７】
次に、マイクロコンピュータ１０５上で実行される盗聴器検出処理について説明する。はじめに、特定周波数の断続音を発信することによって、盗聴器２００を検出する第１のモードが選択された場合について説明する。
【００７８】
図５は、本実施形態に係る盗聴器検出処理例を示すフローチャートである。
【００７９】
（ステップＳＴ１１）
図５に示すように、盗聴器検出処理のメインルーチンが開始される。
【００８０】
（ステップＳＴ１２）
はじめに、図５に示すように盗聴器検出器１００は、ユーザによって設定されたスキャン周波数、発信する音の周波数等を記憶部１１２等に反映させ、記憶部１１２内のレジスタの初期化等を行う。ユーザによる初期設定の入力は、図示しない外部入力装置等で設定される。
【００８１】
以下の説明では、盗聴器２００に多く使用されている１３９ＭＨｚから４００ＭＨｚの周波数をカバーするため、スキャン周波数を１００ＭＨｚ〜５００ＭＨｚとする。詳細は後述するが、出力する音声信号の周波数が１ｋＨｚであるものとすると、割り込み（サンプリング）周波数は、４倍の４ｋＨｚに設定される。
【００８２】
（ステップＳＴ１３）
マイクロコンピュータ１０５は、スキャンスタート信号（ハイレベルのリセット信号ＲＳＴ）をリセット信号線ＲＳＴＬ送出した後（図８（Ｄ）参照）、割り込み処理を許可する。これにより、盗聴周波数のスキャンと割り込み処理が開始される。
【００８３】
（ステップＳＴ１４）
マイクロコンピュータ１０５は、割り込み処理を終了するか否かの判定を繰り返し行う。
マイクロコンピュータ１０５は、割り込み処理を終了させるか否かを、切り替え処理フラグ（後述のステップＳＴ２８を参照）で判断し、切り替え処理フラグがセットされるまで繰り返し割り込み処理が行われ（ＮＯ）、切り替え処理フラグがセットされると（ＹＥＳ）、割り込み処理を禁止するため、ステップＳＴ１５の処理を行う。
この割り込み処理の詳細については後述する。
【００８４】
（ステップＳＴ１５）
マイクロコンピュータ１０５は、割り込み処理の実行を禁止する。これにより、スキャン周波数のスキャン処理および音の出力が終了する。
なお、再びステップＳＴ１３の処理が実行されるまで、割り込み処理は行われない。
【００８５】
（ステップＳＴ１６）
マイクロコンピュータ１０５は、盗聴器２００の有無を盗聴器検出フラグ（後述のステップＳＴ２６を参照）によって判断する。マイクロコンピュータ１０５は、盗聴器検出フラグがセットされていれば（ＹＥＳ）、盗聴器２００が検出されたと判断してステップＳＴ１７の処理を行い、盗聴器検出フラグがセットされていなければ（ＮＯ）、盗聴器２００が検出されなかったと判断してステップＳＴ１９の処理を行う。
【００８６】
（ステップＳＴ１７）
マイクロコンピュータ１０５は、盗聴器２００を検出した場合、現時点での音量レベルが最小音量レベル（音量ＶＯＬ１）であるか否かを判断する。マイクロコンピュータ１０５は、最小音量レベルであるものと判断した場合（ＹＥＳ）、ステップＳＴ１３の処理に戻り、最小音量レベルでないものと判断した場合（ＮＯ）、ステップＳＴ１８の処理を行う。
【００８７】
（ステップＳＴ１８）
ステップＳＴ１６にて盗聴器２００が検出され、ステップＳＴ１７にて音量レベルが最小音量レベルでないものと判断された場合、マイクロコンピュータ１０５は、たとえばＰＷＭによって音量レベルを１段階下げるためのパルス状の制御信号Ｓ２を生成し、音量調整部１０９１に出力する。たとえば現段階の音量レベルが音量ＶＯＬ５であれば、音量ＶＯＬ４に切り替えるように、音量調整部１０９１は、次回のスキャン処理に向けて、音量ＶＯＬ４の音声信号を生成する。
【００８８】
マイクロコンピュータ１０５は、表示レベルを１段階上げるように、制御信号Ｓ４を生成して表示部１１１に出力する。たとえば現段階の表示レベルが最低レベルの無灯状態であれば、表示部１１１は、ＬＥＤ１のみが点灯するように、スイッチＳＷ１をオンに切り替え、その他のスイッチをオフの状態に切り替える（図４を参照）。
【００８９】
このように、１回のスキャン（ステップＳＴ１３〜ＳＴ１５）で盗聴器２００が検出された場合、音量レベルは１段階下げられ、表示レベルは１段階上げられる。
【００９０】
（ステップＳＴ１９）
一方、ステップＳＴ１６にて盗聴器２００が検出されなかった場合、マイクロコンピュータ１０５は、現時点での音量レベルが最大音量レベル（音量ＶＯＬ５）であるか否かを判断する。マイクロコンピュータ１０５が、最大音量レベルであると判断した場合（ＹＥＳ）、音量レベルおよび表示レベルを維持したまま、ステップＳＴ１３の処理に戻り、スキャン処理が再開され、最大音量レベルでないと判断した場合（ＮＯ）、ステップＳＴ１１０の処理を行う。
【００９１】
（ステップＳＴ１１０）
ステップＳＴ１６にて盗聴器２００が検出されず、ステップＳＴ１９にて音量レベルが最大音量レベル（音量ＶＯＬ５）でないものと判断された場合、マイクロコンピュータ１０５は、たとえばＰＷＭによって音量レベルを１段階上げるためのパルス状の制御信号Ｓ２を生成し、音量調整部１０９１に出力する。たとえば現段階の音量レベルが音量ＶＯＬ３であれば、音量ＶＯＬ４に切り替えるように、音量調整部１０９１は、次回のスキャン処理に向けて、音量ＶＯＬ４の音声信号を生成する。
【００９２】
マイクロコンピュータ１０５は、表示レベルを１段階下げるように、制御信号Ｓ４を生成して表示部１１１に出力する。たとえば現段階においてＬＥＤ１〜ＬＥＤ３が点灯していれば、表示部１１１は、ＬＥＤ１〜ＬＥＤ２のみが点灯するように、スイッチＳＷ１〜ＳＷ２をオンの状態に保持し、スイッチＳＷ３をオフに切り替える。
【００９３】
このように、１回のスキャンで盗聴器２００が検出されなかった場合、音量レベルは１段階上げられ、表示レベルは１段階下げられる。
その後、再びステップＳＴ１３の処理に戻る。
【００９４】
続いて、ステップＳＴ１３〜ＳＴ１５において実行される割り込み処理について、図６を参照しながら詳細に説明する。
【００９５】
図６は、本実施形態に係る第１のモードにおける割り込み処理例を示すフローチャートである。
【００９６】
（ステップＳＴ２１）
割り込み処理のルーチンが開始される。後述のステップＳＴ２４における演算を行って盗聴器２００を検出する場合、割り込み処理を行う周波数は、Ａ／Ｄ変換のサンプリング周波数であり、出力音の周波数の４倍となる。たとえば、出力音が１ｋＨｚであれば、割り込み周波数は４ｋＨｚである。
【００９７】
（ステップＳＴ２２）
マイクロコンピュータ１０５は、特定周波数の音声信号を生成するための生成信号Ｓ１を信号増幅器１０９に出力する。これと共に、マイクロコンピュータ１０５は、信号増幅器１０９が生成した音声信号をスピーカ１１０に出力させるか否かを制御する制御信号Ｓ３を信号増幅器１０９に出力する。
【００９８】
このとき、マイクロコンピュータ１０５は、断続音を発信できるように、生成信号Ｓ１および制御信号Ｓ３を信号増幅器１０９に出力する。
【００９９】
信号増幅器１０９が、特定音としての音声信号を生成し、音声信号をスピーカ１１０に断続的に出力することにより、断続的な特定音がスピーカ１１０を介して送出される。
【０１００】
マイクロコンピュータ１０５は、特定音の発信期間に、受信レベル検出部１０２４から真の検出信号ＳＲ１が入力されると、ローレベルの切り替え信号ＣＮＴを切り替え部１０７に出力する。
【０１０１】
（ステップＳＴ２３）
マイクロコンピュータ１０５は、バンドパスフィルタ１０４から入力された音声信号を内蔵されたＡ／Ｄ変換器にて割り込み処理毎にアナログからデジタルの信号にＡ／Ｄ変換する。
【０１０２】
（ステップＳＴ２４）
マイクロコンピュータ１０５は、所定の演算方法によって特定周波数成分（たとえば１ｋＨｚ）の振幅の大きさ（すなわち電圧）を算出する。
【０１０３】
（ステップＳＴ２５）
マイクロコンピュータ１０５は、ステップＳＴ２４において算出した特定周波数成分の振幅の大きさが、しきい値以上であれば（ＹＥＳ）、盗聴器２００を検出したものと判断してステップＳＴ２６の処理を行い、しきい値以下であれば（ＮＯ）、盗聴器２００が未検出であるものと判断してステップＳＴ２７の処理を行う。
【０１０４】
（ステップＳＴ２６）
特定周波数成分の振幅の大きさがしきい値以上のとき、マイクロコンピュータ１０５は、盗聴器検出フラグをセットし、ステップＳＴ２７の処理を行う。本ステップＳＴ２６の盗聴器検出フラグは、ステップＳＴ１６の処理に用いられる。
【０１０５】
（ステップＳＴ２７）
マイクロコンピュータ１０５は、エンド信号ＥＮＤがハイレベルになった場合、またはステップＳＴ２６の処理において盗聴器検出フラグがセットされた場合、切り替え処理を行うものと判断して（ＹＥＳ）、ステップＳＴ２８の処理を行い、いずれでもない場合（ＮＯ）、ステップＳＴ２９の処理を行い、割り込み処理を終了する。
【０１０６】
（ステップＳＴ２８）
マイクロコンピュータ１０５は、音量レベルおよび表示レベルを切り替える場合、切り替え処理フラグをセットし、割り込み処理を終了する（ステップＳＴ２９）。
【０１０７】
次に、連続音を必要なときのみ発信することによって盗聴器２００を検出する第２のモードが選択された場合について説明する。
【０１０８】
第２のモードのメインルーチンは、図５に図示する第１のモードのものと同様であるが、ステップＳＴ１３〜ＳＴ１５において実行される割り込み処理が、第１のモードのものと異なる。ここでは、第１のモードと異なる点について説明する。
【０１０９】
図７は、本実施形態に係る第２のモードにおける割り込み処理例を示すフローチャートである。
【０１１０】
図７に図示するように、第１のモードにおけるステップＳＴ２３の処理とステップＳＴ２４の処理との間に（図６参照）、第２のモードの特徴であるステップＳＴ３１〜ＳＴ３３の処理が実行される。
【０１１１】
（ステップＳＴ２２ａ）
ステップＳＴ２２ａの処理において、マイクロコンピュータ１０５は、特定周波数の音声信号を出力させる信号Ｓ１の信号レベルを切り替えて信号増幅器１０９に出力し、信号増幅器１０９は、音声信号を生成する。割り込み周波数が４ｋＨｚであれば、１ｋＨｚの音声信号を出力するため、２回の割り込み処理ごとに、信号のレベルを切り替えて（ハイレベルならローレベルに、ローレベルならハイレベルに）処理を行う。
【０１１２】
（ステップＳＴ３１）
ステップＳＴ２３の処理後、マイクロコンピュータ１０５は、不図示のカウンタ等を用いてスキャン開始時点（たとえばステップＳＴ１３の直後）からの経過時間をカウントしており、最大音量かつ所定時間（本実施形態では１００ｍｓ程度）経過したか否かを判断する。経過時間が所定時間を経過している場合（ＹＥＳ）、ステップＳＴ３２の処理を実行し、経過時間が所定時間を経過していない場合（ＮＯ）、後述のステップＳＴ２４ａの処理を実行する。なお、経過時間の設定は、好適に設定することができる。
【０１１３】
（ステップＳＴ３２）
マイクロコンピュータ１０５は、受信レベル検出部１０２４から入力された検出信号ＳＲの真偽に基づいた処理を行う。具体的には、マイクロコンピュータ１０５は、真の検出信号ＳＲ１が入力された場合、ステップＳＴ２４ａの処理を行い、偽の検出信号ＳＲ２が入力された場合、ステップＳＴ３３の処理を行う。
【０１１４】
（ステップＳＴ３３）
ステップＳＴ３２にて、検出信号ＳＲが偽の検出信号ＳＲ２であった場合、マイクロコンピュータ１０５は、制御信号Ｓ３の出力を停止する。これにより、信号増幅器１０９は、制御信号Ｓ３が入力されないため、音声信号の出力を停止（キャンセル）し、ステップＳＴ２４の処理を行う。
【０１１５】
ところで、盗聴器２００は、動作（盗聴）中に電波信号を出力しているため、盗聴器検出器１００が盗聴器２００に近づくと、受信レベルがしきい値を超える受信領域が存在する。すなわち、受信レベルが所定のしきい値を超えないということは、盗聴器検出器１００が受信領域外に位置していることを示す。
本ステップＳＴ３３の処理により、盗聴器検出器１００が不必要な音を出力することを防止している。
【０１１６】
（ステップＳＴ２４ａ）
一方、ステップＳＴ３２にて、検出信号ＳＲが真の検出信号ＳＲ１であった場合、マイクロコンピュータ１０５は、特定周波数の音声信号を出力させる制御信号Ｓ３１を信号増幅器１０９に出力し、信号増幅器１０９は、特定周波数の音声信号を出力する。
マイクロコンピュータ１０５は、所定の演算方法によって特定周波数成分（たとえば１ｋＨｚ）の振幅の大きさ（すなわち電圧）を算出する。
以下、第１モードと同様の処理が実行される。
【０１１７】
以下、第１のモードが選択された場合の盗聴器検出器１００の動作について、図８を参照しながら説明する。
【０１１８】
図８は、本実施形態に係る切り替え部、およびスキャン部の動作を説明するためのタイミングチャートである。図８（Ａ）は、電流供給ノードＮＤＩの電圧ＶＣＮＴを、図８（Ｂ）は、制御信号Ｓ３、図８（Ｃ）は、エンド信号ＥＮＤを、図８（Ｄ）は、リセット信号ＲＳＴを、図８（Ｅ）は、受信レベル検出部１０２４の受信レベルを、図８（Ｆ）は、切り替え信号ＣＮＴをそれぞれ示す。図８（Ｅ）のＬＥＶは、受信レベルのしきい値を示す。
【０１１９】
マイクロコンピュータ１０５は、盗聴周波数のスキャンを行うため、パルス状のスキャンスタート信号（ハイレベルのリセット信号ＲＳＴ）をリセット信号線ＲＳＴＬ送出する（図８（Ｄ）参照）。これにより、トランジスタＴＲ４がオンに切り替わり、電流供給ノードＮＤＩの電圧が接地電位ＧＮＤにリセットされ、キャパシタＣ１の電荷が０になる（図２参照）。
【０１２０】
電流供給ノードＮＤＩがリセットされた後、トランジスタＴＲ４がオフに保持され、キャパシタＣ１の充電が開始される。
【０１２１】
このとき、マイクロコンピュータ１０５は、生成信号Ｓ１を信号増幅器１０９に出力すると共に、ハイレベルの制御信号Ｓ３を信号増幅器１０９に出力する（図８（Ｂ）参照）。これにより、特定音がスピーカ１１０を介して発信される。
【０１２２】
マイクロコンピュータ１０５は、通常スキャンを行うため、ハイレベルの切り替え信号ＣＮＴを切り替え信号線ＣＮＴＬに供給する（図８（Ｆ）参照）。これにより、切り替え部１０７のトランジスタＴＲ６がオンに切り替わり、電流ＩＣ３および電流ＩＣ４によって、キャパシタＣ１が充電される（図２参照）。
【０１２３】
受信回路１０２が受信アンテナ１０１を介して盗聴器２００が送出している電波信号を受信すると、抽出した音声信号を増幅器１０３に、検出信号ＳＲをマイクロコンピュータ１０５に出力する。このときの受信回路１０２の動作は以下の通りである。
【０１２４】
高周波増幅器１０２１は、高周波信号を増幅し、混合器１０２２は、この増幅された高周波信号とＶＣＯ１０８が出力する所定周波数の信号とを掛け合わせる。
【０１２５】
中間周波数増幅器１０２３は、混合器１０２２から掛け合わされた信号が入力されると、中間周波数成分の信号を取り出して検波器１０２５と受信レベル検出部１０２４とに出力する。
【０１２６】
受信レベル検出部１０２４は、中間周波数の信号の受信レベルが所定のしきい値ＬＥＶを超えたか否かを判断し、しきい値ＬＥＶを超えた場合は真の検出信号ＳＲ１（たとえばハイレベルの信号）を、しきい値ＬＥＶを超えない場合は偽の検出信号ＳＲ２（たとえばローレベルの信号）をマイクロコンピュータ１０５に出力する。
【０１２７】
一方で、検波器１０２５は、中間周波数増幅器１０２３から入力された信号を復調して音声信号を取り出し、増幅器１０３に出力する。
【０１２８】
増幅器１０３は、受信回路１０２の検波器１０２５から音声信号が入力されると、この音声信号を所定の音声レベルにまで増幅し、バンドパスフィルタ１０４に出力する。そして、バンドパスフィルタ１０４が、増幅された音声信号から特定の周波数成分を取りだし、マイクロコンピュータ１０５に出力する。
【０１２９】
スキャン部１０６は、たとえば１００ＭＨｚ〜５００ＭＨｚの周波数帯域をスキャンする。トランジスタＴＲ６は、オンの状態に保持されているため、電流ＩＣ３および電流ＩＣ４によって、キャパシタＣ１が充電されている。
【０１３０】
キャパシタＣ１の充電に伴って、電流供給ノードＮＤＩの電圧ＶＣＮＴは、図８（Ａ）に図示するように上昇する。この電圧ＶＣＮＴは、ＶＣＯ制御信号線ＶＣＮＴＬに伝搬され、ＶＣＯ１０８に出力される。なお、電流供給ノードＮＤＩの電圧が所定の電圧に達するまで、スキャンが行われる。
【０１３１】
ＶＣＯ１０８は、スキャン部１０６から電流供給ノードＮＤＩの電圧ＶＣＮＴが入力され、入力電圧に応じた周波数で発振し、発振した所定周波数の信号を混合器１０２２に出力する。
【０１３２】
消音期間を設けるため、現在出力中の特定音を停止する処理が行われる。具体的には、マイクロコンピュータ１０５は、生成信号Ｓ１の生成を停止すると共に、制御信号Ｓ３の信号増幅器１０９への出力を停止する（図８（Ｂ）参照）。
【０１３３】
通常スキャンから低速スキャンに切り替えるため、マイクロコンピュータ１０５は、ローレベルの切り替え信号ＣＮＴを切り替え信号線ＣＮＴＬに供給する（図８（Ｆ）参照）。
【０１３４】
ところで、盗聴器２００は、盗聴器検出器１００が発信している特定音を受信した時に、盗聴を行うため、特定音を発信しない期間には、周波数をスキャンする必要がない。
【０１３５】
しかし、この時点でスキャンを停止すると、次の特定音の発信時に、スキャンを中断した時点の周波数からスキャンを再開することができない。すなわち、盗聴周波数全域を連続してスキャンすることができない。
【０１３６】
そこで、本実施形態は、消音期間中には、スキャンを停止する代わりに、低速スキャンを行う。
【０１３７】
低速スキャンを行うため、切り替え部１０７のトランジスタＴＲ６がオフに切り替わり、電流ＩＣ３のみによって、キャパシタＣ１が充電される。電流ＩＣ３によるキャパシタＣ１の充電は、再び特定音が発信されるときまで行われる。
【０１３８】
電流ＩＣ３のみによって、キャパシタＣ１が充電されるため、電流供給ノードＮＤＩの電圧ＶＣＮＴは、図８（Ａ）に図示するように、通常スキャンよりもゆっくりと上昇する。このため、通常スキャン時よりもゆっくりとした速度で周波数のスキャンが行われる。
【０１３９】
このように、低速スキャンを行うことで、消音期間中に行われるスキャンの周波数範囲をできるだけ小さくすることができる。
【０１４０】
再び、特定音を発信するため、マイクロコンピュータ１０５は、生成信号Ｓ１を信号増幅器１０９に出力すると共に、ハイレベルの制御信号Ｓ３を信号増幅器１０９に出力する（図８（Ｂ）参照）。
【０１４１】
マイクロコンピュータ１０５は、通常スキャンを行うため、ハイレベルの切り替え信号ＣＮＴを切り替え信号線ＣＮＴＬに供給する（図８（Ｆ）参照）。
【０１４２】
その後、受信レベル検出部１０２４が、中間周波数増幅器１０２３が出力した信号の受信レベルを検出し、受信レベルがしきい値ＬＥＶを超えたものとする（図８（Ｅ）参照）。受信レベルがしきい値を超えたということは、盗聴器２００が盗聴器検出器１００付近に存在していることを示している。
【０１４３】
そこで、通常スキャンから低速スキャンに切り替える。この低速スキャンは、この時点での周波数付近を重点的にスキャンするために行われる。
【０１４４】
このとき、受信レベル検出部１０２４は、検出信号ＳＲ１（たとえばハイレベルの電圧信号）をマイクロコンピュータ１０５に出力し、マイクロコンピュータ１０５は、ローレベルの切り替え信号ＣＮＴを切り替え信号線ＣＮＴＬに供給する（図８（Ｆ）参照）。
【０１４５】
このときも、電流ＩＣ３のみによってキャパシタＣ１が充電されるため、電流供給ノードＮＤＩの電圧ＶＣＮＴは、図８（Ａ）に図示するように、通常スキャン時よりもゆっくりと上昇する。
【０１４６】
このように、特定音の発信期間であっても、受信レベルがしきい値ＬＥＶ以上の時には、低速スキャンが行われる。
【０１４７】
受信レベルが再びしきい値ＬＥＶ以下になると（図８（Ｅ）参照）、通常スキャンが行われる。
【０１４８】
電圧比較部ＣＰＮは、スキャンの開始時点から、電流供給ノードＮＤＩの電圧とノードＮＤ１の電圧とを比較している。電流供給ノードＮＤＩの電圧ＶＣＮＴが、抵抗Ｒ１とＲ２による分圧電圧（ノードＮＤ１の電圧）ＶＢ１に達した時、ノードＮＤ３の電位が上昇して、エンド信号線ＥＮＤＬのエンド信号ＥＮＤがハイレベルに切り替わる（図８（Ｃ）参照）。
【０１４９】
マイクロコンピュータ１０５は、エンド信号ＥＮＤがハイレベルになったことを検知すると、スキャン部１０６のリセット信号線ＲＳＴＬにハイレベルのリセット信号ＲＳＴを出力し、電流供給ノードＮＤＩの電圧を接地電位にリセットする。
【０１５０】
このときが、スキャン周波数の最大時（本実施形態では５００ＭＨｚ）であり、１回のスキャンが終了する。
【０１５１】
説明の簡便化のため、１回のスキャンで一度だけ特定音が停止する動作例を挙げた。スキャンの周期と、この断続音の周期とは、同期する必要はない。
【０１５２】
次に、第２のモードが選択された場合の盗聴器検出器１００の動作について、図９を参照しながら説明する。
【０１５３】
図９は、本実施形態に係る切り替え部、およびスキャン部の動作を説明するためのタイミングチャートである。図９（Ａ）は、電流供給ノードＮＤＩの電圧ＶＣＮＴを、図９（Ｂ）は、エンド信号ＥＮＤを、図９（Ｃ）は、リセット信号ＲＳＴを、図９（Ｄ）は、受信レベル検出部１０２４の受信レベルを、図９（Ｅ）は、切り替え信号ＣＮＴをそれぞれ示す。図９（Ｄ）のＬＥＶは、受信レベルのしきい値を示す。
【０１５４】
第２のモードが選択された場合、受信レベルがしきい値ＬＥＶを超えると（図９（Ｄ）参照）、第１のモードにて詳細に説明したように、マイクロコンピュータ１０５は、ローレベルの切り替え信号ＣＮＴを切り替え信号線ＣＮＴＬに供給し（図９（Ｅ）参照）、低速スキャンが行われる。
【０１５５】
第２モードでは、連続音によって盗聴器２００の検出を行うため、マイクロコンピュータ１０５は、ハイレベルの切り替え信号ＣＮＴを常時、切り替え信号線ＣＮＴＬに供給する（不図示）。
【０１５６】
本実施形態によれば、盗聴器検出器１００は、特定音を発音する発音部と、発音部が特定音を断続的に発音するように発音部を制御し、発音部の制御状態に応じてスキャン部１０６のスキャン速度を制御するマイクロコンピュータ１０５と、電波信号の周波数をスキャンするスキャン部１０６とを有する。
【０１５７】
マイクロコンピュータ１０５が、消音期間のスキャン速度を発音期間のスキャン速度よりも下げることにより、断続音による盗聴器の検出に対応し、周囲に違和感を与えることなく盗聴器の検出を行うことができる。
【０１５８】
断続音を発生する場合であっても、途中でスキャンを停止することなく、低い周波数から高い周波数まで、盗聴周波数帯域全体を１回のスキャンで実行することができる。
【０１５９】
第２のモードにおいては、必要なときのみ音が発生するため、ユーザや周囲の人に不快感を与えることなく、静かな環境で盗聴器検出器を使用することができる。
【０１６０】
１回のスキャンで盗聴器が検出された場合、音量レベルが１段階下げられ、表示レベルは１段階上げられる。逆に、１回のスキャンで盗聴器が検出されなかった場合、音量レベルが１段階上げられ、表示レベルは１段階下げられる。これが交互に繰り返されることにより、ユーザは、音量を手がかりに盗聴器までの距離を推定しやすくなる。
【０１６１】
音量と表示の変更は、マイクロコンピュータ１０５にて自動的に連続して実行されるため、ユーザは、音量調節を手動で行う必要がなく、ユーザ自身が移動するだけで盗聴器の設置場所まで容易に到達できる利点がある。したがって、専門知識を必要とせずに容易に盗聴器を発見できる。
【０１６２】
本盗聴器検出器は、受信レベルに関係なく、定期的に特定音を発信するため、ＶＯＸ機能が搭載された盗聴器の検出にも対応できる利点がある。
【０１６３】
本実施形態において、音量レベルと表示レベルとを一致させる必要はない。たとえば、音量レベルを６段階、表示レベルを３段階に設定し、音量レベルが２段階下がる度に表示レベルを１段階上げてもよい。
【０１６４】
（第２実施形態）
第２実施形態について、第１実施形態と異なる点を中心に説明する。
【０１６５】
第１実施形態では、消音期間中に行われるスキャンの周波数範囲をできるだけ小さくするため、低速スキャンが行われる。このとき、スイッチとしてのトランジスタＴＲ６がオフに保持されるが（図２参照）、第１の電流源は電流ＩＣ３を生成している。
【０１６６】
その結果、電流ＩＣ３によって、電流供給ノードＮＤＩの電圧が緩やかに上昇し、低速スキャンから通常スキャンに以降する（再び特定音が発信する）際に、スキャン再開時点での周波数が消音開始時点の周波数から僅かながら上がる「周波数の飛び」が生じる。
【０１６７】
本実施形態は、この「周波数の飛び」を防止し、消音期間中にスキャンを停止することができる盗聴器検出器に関するものである。
【０１６８】
図１０は、本実施形態に係るスキャン部および切り替え部の構成例を示す回路図である。
【０１６９】
図１０に図示するように、スキャン部１０６ａは、抵抗Ｒ６とノードＮＤ９との間に、第２のスイッチとして機能するｎｐｎ型のトランジスタＴＲ７が設けられている。
【０１７０】
具体的には、トランジスタＴＲ７は、ベースが切り替え信号線ＣＮＴＬ２によってマイクロコンピュータ１０５に、エミッタがノードＮＤ９（接地電位ＧＮＤ）に、コレクタが抵抗Ｒ６にそれぞれ接続されている。このトランジスタＴＲ７は、第１の電流源が出力する電流ＩＣ３を電流供給ノードＮＤＩに供給するか否かを切り替える。
【０１７１】
第１実施形態と同様に、第１のスイッチとして機能するトランジスタＴＲ６は、ベースが切り替え信号線ＣＮＴＬ１によってマイクロコンピュータ１０５に接続されている。
【０１７２】
マイクロコンピュータ１０５は、切り替え信号線ＣＮＴＬ１に切り替え信号ＣＮＴ１を、切り替え信号線ＣＮＴＬ２に切り替え信号ＣＮＴ２を供給する。
【０１７３】
消音期間に、第１のスイッチとしてのトランジスタＴＲ６だけではなく、第２のスイッチとしてのトランジスタＴＲ７もオフに保持されることにより、電流供給ノードＮＤＩへの電流の供給が停止される。
【０１７４】
キャパシタＣ１の充電が終了することで、電流供給ノードＮＤＩの電圧の上昇が止まり、電流供給ノードＮＤＩの電圧は、ほぼ一定となる。その結果、ＶＣＯ１０８が発振する周波数もほぼ一定となり、消音期間にスキャン中の周波数が保持される。したがって、消音期間にスキャンを停止し、周波数の飛びを防止することができる。
【０１７５】
次に、図１０に図示するスキャン部１０６ａを搭載した盗聴器検出器１００の動作について、図１１を参照しながら説明する。なお、第１のモードが選択された場合について説明する。
【０１７６】
図１１は、本実施形態に係る切り替え部、およびスキャン部の動作を説明するためのタイミングチャートである。図１１（Ａ）は、電流供給ノードＮＤＩの電圧ＶＣＮＴを、図１１（Ｂ）は、制御信号Ｓ３、図１１（Ｃ）は、エンド信号ＥＮＤを、図１１（Ｄ）は、リセット信号ＲＳＴを、図１１（Ｅ）は、受信レベル検出部１０２４の受信レベルを、図１１（Ｆ）は、切り替え信号ＣＮＴ１を、図１１（Ｇ）は、切り替え信号ＣＮＴ２をそれぞれ示す。図１１（Ｅ）のＬＥＶは、受信レベルのしきい値を示す。
【０１７７】
第２実施形態では、制御信号Ｓ３がローレベルに保持されている消音期間に（図１１（Ｂ）参照）、トランジスタＴＲ６およびＴＲ７が同時にオフに保持される。
【０１７８】
詳細には、マイクロコンピュータ１０５は、ローレベルの切り替え信号ＣＮＴ１を切り替え信号線ＣＮＴＬ１に、ローレベルの切り替え信号ＣＮＴ２を切り替え信号線ＣＮＴＬ２に供給する（図８（Ｆ）、（Ｇ）参照）。
【０１７９】
その結果、電流供給ノードＮＤＩには、電流ＩＣ３および電流ＩＣ４の供給が停止され、キャパシタＣ１に蓄積された電荷が放電を開始する。電流供給ノードＮＤＩの電圧はやがて下降するが、キャパシタＣ１のインピーダンスは非常に高いため、図１１（Ａ）に図示するように、その電圧の下降は極めて僅かである。このため、電流供給ノードＮＤＩの電圧は、ほぼ一定であるとみなすことができる。
【０１８０】
したがって、消音期間中にスキャンを停止し、「周波数の飛び」を防止することができる。
【０１８１】
電流供給ノードＮＤＩの電圧が僅かに低下したとしても、低速スキャンから通常スキャンへの移行時に、スキャン周波数の重複を最小限に抑制することができる。
【０１８２】
（第３実施形態）
たとえば、置き時計のように、「ピッ、ピッ、ピッ、…」のような断続的な時報音を発信し、定時を知らせる時計が広く普及している。そこで、本実施形態では、第２実施形態に係る盗聴器検出器を時計に組み込み、時報音を利用して盗聴器２００の検出を行うことができる盗聴器検出器について説明する。
【０１８３】
図１２は、本発明に係る盗聴器検出器が組み込まれた時計の主要構成例を示すブロック図である。
【０１８４】
図１２に図示するように、時計３００は、盗聴器検出器１００、制御回路３１０、計時部３２０、および時刻表示部３３０を有する。
【０１８５】
時計３００は、時刻情報等を表示する時計としての機能の他、定時を時報音で知らせるアラーム機能（アラームモード）、および盗聴器検出器１００が持つ盗聴器検出機能（盗聴器検出モード）を有する。
【０１８６】
これら２つのモードは、好適に選択することができる。アラームモードが選択された場合、時計３００は、定時（たとえば１２時、１時、…）に達すると発信する時報音を利用して盗聴器２００の検出を行う。一方、盗聴器検出モードが選択された場合、時計３００は、ユーザの操作によって、盗聴器２００の検出を行う。
【０１８７】
制御回路３１０は、時計３００全般の制御を行う。具体的には、制御回路３１０は、時刻表示部３３０を制御すると共に、盗聴器検出器１００のマイクロコンピュータ１０５を制御する。
【０１８８】
制御回路３１０は、計時部３２０が計時する時刻が定時に達すると、盗聴器検出器１００の電源をオフからオンに切り替えるための電源制御信号Ｓ５をマイクロコンピュータ１０５に出力する。
【０１８９】
制御回路３１０は、盗聴器検出モードの作動中に、信号増幅器１０９が生成した音声信号をスピーカ１１０に出力させるか否かを制御するための制御信号Ｓ６をマイクロコンピュータ１０５に出力する。このとき、制御回路３１０は、断続的に制御信号Ｓ６をマイクロコンピュータ１０５に出力する。
【０１９０】
計時部３２０は、たとえば年情報カウンタ、月情報カウンタ、日情報カウンタ、曜日情報カウンタ、時情報を計時する時カウンタ、分情報を計時する分カウンタ、および秒情報を計時する秒カウンタで構成されている。計時部３２０は、これらのカウンタによって時刻を計時し、計時した時刻を制御回路３１０に出力する。
【０１９１】
時刻表示部３３０は、たとえば指針である秒針、分針、および時針で構成されている。時刻表示部３３０は、制御回路３１０を介して計時部３２０から入力された時情報、分情報、秒情報等の時刻情報を、指針である秒針、分針、および時針の指示位置により表示する。時計３００は、いわゆるアナログ方式の時計であるが、デジタル方式の時計であってもよい。
【０１９２】
盗聴器検出器１００は、盗聴器検出モードがオフの時には、盗聴器検出器１００の電源がオフに保持されている。なお、図１２に図示する盗聴器検出器１００には、本実施形態の説明に必要な構成要素のみが図示されている。無論、第１実施形態に係る盗聴器検出器を時計３００に組み込むこともできる。
【０１９３】
マイクロコンピュータ１０５は、制御回路３１０から電源制御信号Ｓ５が入力されると、不図示の電源をオフからオンに切り替える。これにより、盗聴器検出器１００の電源がオンとなる。
【０１９４】
マイクロコンピュータ１０５は、制御回路３１０から制御信号Ｓ６が入力されると、特定周波数の音声信号（時報音）を生成するための生成信号Ｓ１を信号増幅器１０９に出力する。
【０１９５】
信号増幅器１０９は、マイクロコンピュータ１０５から生成信号Ｓ１が入力されると、生成信号Ｓ１に基づいて、時報音としての音声信号を断続的に生成する。
【０１９６】
時計３００の動作を図１３に関連付けて説明する。
【０１９７】
図１３は、本実施形態に係る盗聴器検出器が組み込まれた時計の動作例を示すフローチャートである。
【０１９８】
（ステップＳＴ４１）
ユーザがモード設定を行い、盗聴器検出モードが選択されたものとする。
【０１９９】
（ステップＳＴ４２）
計時部３２０が計時する時刻が定時に達すると、制御回路３１０は、盗聴器検出器１００の電源をオフからオンに切り替えるための電源制御信号Ｓ５をマイクロコンピュータ１０５に出力する。
【０２００】
（ステップＳＴ４３）
盗聴器検出器１００の電源がオンに切り替わると同時に、制御回路３１０は、断続的に制御信号Ｓ６をマイクロコンピュータ１０５に出力する。
【０２０１】
マイクロコンピュータ１０５は、断続的な制御信号Ｓ６を受けて、時報音としての特定周波数の音声信号を生成するための生成信号Ｓ１を信号増幅器１０９に出力する。
【０２０２】
信号増幅器１０９は、マイクロコンピュータ１０５から生成信号Ｓ１が入力されると、生成信号Ｓ１に基づいて、特定音としての音声信号を断続的に生成する。
【０２０３】
これにより、断続的な時報音がスピーカ１１０を介して出力され、盗聴器の検出が行われる。
【０２０４】
時報の終了後、制御回路３１０は、盗聴器検出器１００の電源をオンからオフに切り替えるための電源制御信号Ｓ５をマイクロコンピュータ１０５に出力し、盗聴器検出器１００の電源がオフに切り替わることで、盗聴器２００の検出が終了する。
【０２０５】
本実施形態では、時報音を利用することによって、盗聴器２００の検出を行うが、時報音の代わりに目覚まし（アラーム）機能としてのアラーム音を利用することができる。この場合、目覚まし時刻を好適に設定することにより、定期的に盗聴器の検出を行うことができる。
【０２０６】
本実施形態によれば、時計に盗聴器検出器が組み込まれ、時報音を利用して盗聴器の検出を行うことができるため、盗聴器検出器の存在を悟られることなく、日常生活において違和感なく、盗聴器の検出を行うことができる。
【０２０７】
このように、時報音を利用する場合、断続音に対応した本発明の盗聴器検出器が非常に好適である。言うまでもなく、本発明に係る盗聴器検出器は、メロディーのように連続した音にも対応可能である。
【０２０８】
時報音の発信時にのみ、盗聴器検出器１００の電源がオンに切り替わるため、盗聴器検出器１００や時計３００の省電力化を図ることができる。
【０２０９】
定期的に盗聴器検出を行うことができるという利点もある。
【０２１０】
本発明は、当業者であれば本発明の要旨を変更しない範囲内で様々な改変が可能である。たとえば、目覚まし時計に第１のモードまたは第２のモードが選択可能なモード切替スイッチを設け、モードを選択できるようにしてもよい。
【図面の簡単な説明】
【０２１１】
【図１】第１実施形態に係る盗聴器検出器の一形態を示すブロック図である。
【図２】第１施形態に係るスキャン部および切り替え部の構成例を示す回路図である。
【図３】第１実施形態に係る音量調整部を説明するための図である。
【図４】第１実施形態に係る表示部の主要部の構成例を示す回路図である。
【図５】第１実施形態に係る盗聴器検出処理例を示すフローチャートである。
【図６】第１実施形態に係る第１のモードにおける割り込み処理例を示すフローチャートである。
【図７】第１実施形態に係る第２のモードにおける割り込み処理例を示すフローチャートである
【図８】第１実施形態に係る切り替え部、およびスキャン部の動作を説明するためのタイミングチャートである。
【図９】第１実施形態に係る切り替え部、およびスキャン部の動作を説明するためのタイミングチャートである。
【図１０】第２実施形態に係る本実施形態に係るスキャン部および切り替え部の構成例を示す回路図である。
【図１１】第２実施形態に係る切り替え部、およびスキャン部の動作を説明するためのタイミングチャートである。
【図１２】本発明に係る盗聴器検出器が組み込まれた時計の主要構成例を示すブロック図である。
【図１３】第３実施形態に係る盗聴器検出器が組み込まれた時計の動作例を示すフローチャートである。
【符号の説明】
【０２１２】
１００…盗聴器検出器、１０１…受信アンテナ、１０２…受信回路、１０３…増幅器、１０４…バンドパスフィルタ、１０５…マイクロコンピュータ（ＣＰＵ）、１０６…スキャン部、１０７…切り替え部、１０８…ＶＣＯ、１０９…信号増幅器、１１０…スピーカ、１１１…表示部、１１２…記憶部、１１３…スイッチ回路、１０２１…高周波増幅器、１０２２…混合器、１０２３…中間周波数増幅器、１０２４…受信レベル検出部、１０２５…検波器、１０９１…音量調整部、２００…盗聴器、２０１…（盗聴器の）アンテナ、２０２…マイクロフォン、Ｃ１…キャパシタ、ＩＣ３、ＩＣ４…電流源、ＮＤ１〜ＮＤ９…ノード、ＮＤＩ…電流供給ノード、Ｒ１〜Ｒ１０…抵抗、ＴＲ１〜ＴＲ３、ＴＲ５…ｐｎｐ型のトランジスタ、ＴＲ４、ＴＲ６、ＴＲ７…ｎｐｎ型のトランジスタ、ＶＣＮＴＬ…ＶＣＯ制御信号線、ＲＳＴＬ…リセット信号線、ＣＮＴＬ、ＣＮＴＬ１、ＣＮＴＬ２…切り替え信号線、ＥＮＤＬ…エンド信号線、ＶＣＮＴ…ＶＣＯ制御信号、ＲＳＴ…リセット信号、ＣＮＴ…切り替え信号、ＥＮＤ…エンド信号、ＳＷ１１３…スイッチ、３００…時計、３１０…制御回路、３２０…計時部、３３０…時刻表示部。
【図１】
2010011412.tif 000003
【図２】
2010011412.tif 000004
【図３】
2010011412.tif 000005
【図４】
2010011412.tif 000006
【図５】
2010011412.tif 000007
【図６】
2010011412.tif 000008
【図７】
2010011412.tif 000009
【図８】
2010011412.tif 000010
【図９】
2010011412.tif 000011
【図１０】
2010011412.tif 000012
【図１１】
2010011412.tif 000013
【図１２】
2010011412.tif 000014
【図１３】
2010011412.tif 000015